【手続補正書】
【提出日】平成29年12月11日(2017.12.11)
【手続補正１】
【補正対象書類名】明細書
【補正対象項目名】０００６
【補正方法】変更
【補正の内容】
【０００６】
前記目的を達成するため、本発明の電子機器の一態様は、
太陽電池の特性である開放電圧の特性を照度の情報として検出する検出手段と、
前記検出手段によって検出された前記開放電圧の特性に基づいて動作制御を行う動作制御手段と、
を備える、
ことを特徴とする。
また、前記目的を達成するため、本発明の制御方法の一態様は、
太陽電池の特性である開放電圧の特性を照度の情報として検出する検出ステップと、
前記検出ステップによって検出された前記開放電圧の特性に基づいて動作制御を行う動作制御ステップと、
を含む、
ことを特徴とする。
また、前記目的を達成するため、本発明のプログラムの一態様は、
電子機器を制御するコンピュータを、
太陽電池の特性である開放電圧の特性を照度の情報として検出する検出手段、
前記検出手段によって検出された前記開放電圧の特性に基づいて動作制御を行う動作制御手段、
として機能させる、
ことを特徴とする。
【手続補正２】
【補正対象書類名】明細書
【補正対象項目名】００１３
【補正方法】変更
【補正の内容】
【００１３】
ＲＡＭ１３には、ＣＰＵ１１が各種の処理を実行する際において必要なデータ等も適宜記憶される。
【手続補正３】
【補正対象書類名】明細書
【補正対象項目名】００１４
【補正方法】変更
【補正の内容】
【００１４】
ＣＰＵ１１、ＲＯＭ１２及びＲＡＭ１３は、バス１４を介して相互に接続されている。このバス１４にはまた、入出力インターフェース１５も接続されている。入出力インターフェース１５には、太陽光パネルモジュール１６、検出部１７、撮像部１８、入力部１９、出力部２０、記憶部２１、通信部２２及びドライブ２３が接続されている。
【手続補正４】
【補正対象書類名】明細書
【補正対象項目名】００１７
【補正方法】変更
【補正の内容】
【００１７】
図２は、検出部１７における開放電圧及び短絡電流の検出回路を説明する回路構成図である。
検出部１７の検出回路は、図２に示すように、短絡電流検出回路１０１と、開放電圧検出回路１０２とを備える。短絡電流検出回路１０１及び開放電圧検出回路１０２は、それぞれ、太陽光パネルモジュール１６と、ＣＰＵ１１とに接続しており、スイッチ（ＳＷ１及びＳＷ２）で切り替えることにより、短絡電流検出回路１０１からの信号で短絡電流値を検出し、開放電圧検出回路１０２からの信号で開放電圧値を検出するように構成される。
【手続補正５】
【補正対象書類名】明細書
【補正対象項目名】００２４
【補正方法】変更
【補正の内容】
【００２４】
ここで、太陽電池の特性を利用した動作制御について説明する。
図３及び図４は、太陽電池の特性を利用した動作制御を説明するための模式図である。
本実施形態においては、太陽電池の特性を、開放電圧と短絡電流の特性から導き出す。
【手続補正６】
【補正対象書類名】明細書
【補正対象項目名】００２５
【補正方法】変更
【補正の内容】
【００２５】
開放電圧の特性は、図３（ａ）及び図３（ｂ）に示すように、線形の特性を示さず、照度が３０００［Ｌｘ］より低い環境下では傾きが大きいものとなる。また、照度が低い場合、定格値が得られないという特性もある。また、開放電圧の特性として、照度が４０００Ｌｘ以上になると飽和し始めたり、コンパレータ等の構成が可能であったり、電流検出ではないのでアンプ等の回路が不要であり消費電力を削減可能であったり等の特性がある。
【手続補正７】
【補正対象書類名】明細書
【補正対象項目名】００２６
【補正方法】変更
【補正の内容】
【００２６】
これに対して、短絡電流の特性は、図４（ａ）及び図４（ｂ）に示すように、光の強さに比例して得られる電流が増えて行き、ほぼ線形（短絡電流は照度に対してリニア）の特性を示すものとなる。また、短絡電流の特性として、微小な電圧差を検出するためアンプの電力が大きくなったり、抵抗での損失分があったり等の特性がある。
【手続補正８】
【補正対象書類名】明細書
【補正対象項目名】００３３
【補正方法】変更
【補正の内容】
【００３３】
ここで、開放電圧特性設定テーブル及び短絡電流特性設定テーブルの具体例について説明する。
図６は、開放電圧特性設定テーブル及び短絡電流特性設定テーブルの例を示した模式図である。
開放電圧特性設定テーブルは、具体的には、図６（ａ）に示すように、照度［Ｌｘ］／開放電圧［Ｖ］と、ＬＥＤのバックライトの輝度値（ＬＥＤ−ＢＬ［ｍＡ］）、ＬＣＤ（Ｒ）のγ値（ＬＣＤγ（Ｒ））、ＬＣＤ（Ｇ）のγ値（ＬＣＤγ（Ｇ））、ＬＣＤ（Ｂ）のγ値（ＬＣＤγ（Ｂ））と、ＯＬＥＤの輝度変更を行う駆動電圧値（ＯＬＥＤ電圧［Ｖ］）とが対応付けられている。
短絡電流特性設定テーブルは、具体的には、図６（ｂ）に示すように、照度［Ｌｘ］／短絡電流［ｍＡ］と、ＬＥＤのバックライトの輝度値（ＬＥＤ−ＢＬ［ｍＡ］）、ＬＣＤ（Ｒ）のγ値（ＬＣＤγ（Ｒ））、ＬＣＤ（Ｇ）のγ値（ＬＣＤγ（Ｇ））、ＬＣＤ（Ｂ）のγ値（ＬＣＤγ（Ｂ））と、ＯＬＥＤの輝度変更を行う駆動電圧値（ＯＬＥＤ電圧［Ｖ］）とが対応付けられている。
【手続補正９】
【補正対象書類名】明細書
【補正対象項目名】００４７
【補正方法】変更
【補正の内容】
【００４７】
ステップＳ１７において、制御値取得部５４は、３０００［Ｌｘ］未満であったため、図６（ａ）の開放電圧特性設定テーブルを参照して、開放電圧値に対応する制御値を取得する。制御値取得部５４は、制御値として、バックライトの輝度値と、ＲＧＢのγ値を取得する。
例えば、図６（ａ）の開放電圧特性設定テーブルを参照して、開放電圧の検出値が６．２１［Ｖ］であった場合には、制御値取得部５４は、５［ｍＡ］のバックライト（ＬＥＤ−ＢＬ）の輝度値、Ｒ２のＲ（ＬＣＤγ（Ｒ））のγ値、Ｇ２のＧ（ＬＣＤγ（Ｇ））のγ値、Ｂ２のＢ（ＬＣＤγ（Ｂ））のγ値を取得する。
その後、処理はステップＳ１９に進む。
【手続補正１０】
【補正対象書類名】明細書
【補正対象項目名】００５４
【補正方法】変更
【補正の内容】
【００５４】
動作制御部５５は、検出部１７によって検出された短絡電流から、短絡電流の特性又は開放電圧の特性に基づいた携帯端末１の動作制御を行う。
これにより、携帯端末１においては、より正確に環境光に対応した携帯端末１の制御を行うことができる。
【手続補正１１】
【補正対象書類名】明細書
【補正対象項目名】００５９
【補正方法】変更
【補正の内容】
【００５９】
上述の実施形態では、バックライトの輝度や画質パラメータを変更して表示出力の動作制御を行ったが、環境光に対応した種々の携帯端末１の制御を行うように構成でき、例えば、外部機器の出力手段の表示制御、携帯端末１もしくは外部照明機器の照明制御、携帯端末１もしくは外部機器の撮像部１８の露出制御、または携帯端末１もしくは外部機器での照射量から換算した紫外線量の報知制御を行うことができる。
詳細には、例えば、１）モバイル機器のキーパッド用バックライトの制御として、検出された周囲の照度が所定の照度より低くなった場合、バックライトを点灯することができ、さらに、点灯中は周囲の照度に応じて、バックライト輝度を制御するように構成することができる。この際の制御は、ディスプレイの表示出力制御とは、明暗の制御が逆になる。
また、２）モバイル機器のカメラ撮影時の露出制御として、検出された照度と他の撮影条件とから、撮像時の露出を制御するように構成することができる。
また、３）室内照明の点灯制御として、モバイル機器と室内照明制御機器との間でデータ通信が可能な状態において、モバイル機器が検出した室内の照度に応じて、室内照明器具の点灯制御を行うように構成することができる。室内の明るさが所定の照度未満の場合に照明を点灯し、所定の明るさ（例えば室内照明の照度以上）の場合には消灯することになる。
また、４）紫外線検出と報知として、照度から換算した有害紫外線の量を検出し、所定の値以上になった場合、警告するように構成することができる。
具体的には、動作制御部５５は、携帯端末１の出力部２０もしくは外部機器の出力手段の表示制御、携帯端末１もしくは外部照明機器の照明制御、携帯端末１もしくは外部機器の撮像部１８の露出制御、または携帯端末１もしくは外部機器での照射量から換算した紫外線量の報知制御を行うように構成することができる。
【手続補正１２】
【補正対象書類名】特許請求の範囲
【補正対象項目名】全文
【補正方法】変更
【補正の内容】
【特許請求の範囲】
【請求項１】
太陽電池の特性である開放電圧の特性を照度の情報として検出する検出手段と、
前記検出手段によって検出された前記開放電圧の特性に基づいて動作制御を行う動作制御手段と、
を備える、
ことを特徴とする電子機器。
【請求項２】
前記検出手段は、前記太陽電池の特性である短絡電流の特性を前記照度の情報として検出し、
前記動作制御手段は、前記検出手段によって検出された前記短絡電流の特性に基づいて前記動作制御を行う、
ことを特徴とする請求項１に記載の電子機器。
【請求項３】
前記動作制御手段は、前記検出手段によって検出された前記短絡電流から、前記短絡電流又は前記開放電圧の特性に基づいた前記動作制御を行う、
ことを特徴とする請求項２に記載の電子機器。
【請求項４】
前記動作制御手段は、
前記検出手段によって検出された前記短絡電流および前記開放電圧の特性に応じた動作制御パラメータに基づいて前記動作制御を行う、
ことを特徴とする請求項２又は３に記載の電子機器。
【請求項５】
前記動作制御手段は、
前記短絡電流の値に応じた前記動作制御パラメータを格納した第１のテーブルと、前記開放電圧の値に応じた前記動作制御パラメータを格納した第２のテーブルに基づいて前記動作制御を行う、
ことを特徴とする請求項４に記載の電子機器。
【請求項６】
前記動作制御手段は、
前記検出手段により検出された前記短絡電流が所定の値未満の場合は、前記第２のテーブルの前記動作制御パラメータに基づいて前記動作制御を行い、
前記検出手段により検出された短絡電流が前記所定の値以上の場合は、前記第１のテーブルの前記動作制御パラメータに基づいて前記動作制御を行う、
ことを特徴とする請求項５に記載の電子機器。
【請求項７】
前記動作制御手段は、
本体機器若しくは外部機器の表示手段の表示制御、前記本体機器若しくは外部照明機器の照明制御、前記本体機器若しくは前記外部機器の撮像手段の露出制御、又は、前記本体機器若しくは前記外部機器での照射量から換算した紫外線量の報知制御を行う、
ことを特徴とする請求項１乃至６のいずれか１項に記載の電子機器。
【請求項８】
本体機器は、前記太陽電池の電力によって動作する、
ことを特徴とする請求項１乃至７のいずれか１項に記載の電子機器。
【請求項９】
太陽電池の特性である開放電圧の特性を照度の情報として検出する検出ステップと、
前記検出ステップによって検出された前記開放電圧の特性に基づいて動作制御を行う動作制御ステップと、
を含む、
ことを特徴とする電子機器で実行される制御方法。
【請求項１０】
前記電子機器は、前記太陽電池の電力によって動作する、
ことを特徴とする請求項９に記載の制御方法。
【請求項１１】
電子機器を制御するコンピュータを、
太陽電池の特性である開放電圧の特性を照度の情報として検出する検出手段、
前記検出手段によって検出された前記開放電圧の特性に基づいて動作制御を行う動作制御手段、
として機能させる、
ことを特徴とするプログラム。
【請求項１２】
前記電子機器は、前記太陽電池の電力によって動作する、
ことを特徴とする請求項１１に記載のプログラム。